(57)【特許請求の範囲】
【請求項１】
タイヤ本体と、前記タイヤ本体の内周面に取り付けられたチューブとを備えるチューブ式タイヤにおいて、
タイヤ子午断面視で、前記チューブ内に、タイヤ本体の内表面の少なくとも一部に対して平行に延在する隔壁が形成され、前記チューブの内腔は、前記隔壁によって前記タイヤ本体に近い第１室と、前記タイヤ本体から遠い第２室と、に区画形成され、
前記第１室には第１の逆止弁を介して弾性体が充填され、前記第２室には第２の逆止弁を介して気体が充填され、
前記チューブは、タイヤ全周にわたり、タイヤ径方向及びタイヤ幅方向の少なくとも一方向において２重構造となっている、ことを特徴とするチューブ式タイヤ。
【請求項２】
前記第１室の最大厚みは、前記タイヤ本体のトレッド最大厚みの３０％以上３００％以下である、請求項１に記載のチューブ式タイヤ。
【請求項３】
前記第１室についての、トレッド対応領域の平均厚みｔ１と、ショルダー対応領域の平均厚みｔ２と、サイドウォール対応領域の平均厚みｔ３と、ビード対応領域の平均厚みｔ４とが、
ｔ１≧ｔ２≧ｔ３≧ｔ４
の関係を満たす、請求項１又は２に記載のチューブ式タイヤ。
【請求項４】
請求項１から３のいずれか１項に記載のチューブ式タイヤと、前記チューブ式タイヤが取り付けられたリムとを含む、タイヤ・リム組立体。
【発明の詳細な説明】
【技術分野】
【０００１】
本発明は、踏面部の耐パンク性能を改善したチューブ式タイヤ、及びそれを用いたタイヤ・リム組立体に関する。
【背景技術】
【０００２】
従来、パンクを想定したタイヤに関する技術が多数提案されている（例えば、特許文献１、２参照）。
【０００３】
特許文献１には、タイヤをリムに装着し、該タイヤとリムとで区画されたタイヤの内部に、中空リング状の隔壁を介してリムに沿って周方向に延びる室を区画し、該室内に発泡性組成物を配置した安全タイヤが開示されている。
【０００４】
また、特許文献２には、タイヤ及びリムの内壁面に、弾性体から構成された１つのチューブがその周囲を密着させて内蔵されており、かつ、当該チューブの内部にその上面と下面とを結ぶ隔壁が設けられ、隔壁で仕切られた各気室に独立して気体を充填可能となされている安全空気入りタイヤ・リム組立体が開示されている。
【先行技術文献】
【特許文献】
【０００５】
【特許文献１】特許第４５０８５３５号公報
【特許文献２】特開２００２−６７６１０号公報
【非特許文献】
【０００６】
【非特許文献１】日本自動車タイヤ協会著「タイヤの知識」p.4
【発明の概要】
【発明が解決しようとする課題】
【０００７】
特許文献１に開示された安全タイヤは、外傷を受けた後も通常の走行を可能とすることを目的としたタイヤであり、トレッド表面に釘等の異物が突き刺さった場合にはパンク状態となるため、踏面部の耐パンク性能が優れているとはいえない。
【０００８】
また、特許文献２に開示された安全空気入りタイヤ・リム組立体についても、トレッド表面から異物が突き刺さった気室はパンク状態となる。このため、この安全空気入りタイヤ・リム組立体についても、踏面部の耐パンク性能が優れているとはいえない。
【０００９】
本発明は、上記事情に鑑みてなされたものであって、特に、踏面部の耐パンク性能を改善したタイヤ、及びこのタイヤを用いたタイヤ・リム組立体を提供することを目的とする。
【課題を解決するための手段】
【００１０】
本発明に係るタイヤは、タイヤ本体と、上記タイヤ本体の内周面に取り付けられたチューブとを備えるチューブ式タイヤである。タイヤ子午断面視で、上記チューブ内に、タイヤ本体の内表面に平行に延在する隔壁が形成されている。上記チューブの内腔は、上記隔壁によって上記タイヤ本体に近い第１室と、上記タイヤ本体から遠い第２室と、に区画形成されている。上記第１室には弾性体が充填され、上記第２室には気体が充填されている。
【００１１】
また、本発明に係るタイヤ・リム組立体は、上記チューブ式タイヤと、上記チューブ式タイヤが取り付けられたリムとを含む。
【発明の効果】
【００１２】
本発明に係るチューブ式タイヤ（タイヤ・リム組立体）では、２層構造のチューブの特定領域へ充填する材料について限定を加えている。その結果、本発明に係るチューブ式タイヤ（タイヤ・リム組立体）によれば、特に、踏面部の耐パンク性能を改善することができる。
【図面の簡単な説明】
【００１３】
【図１】図１は、本発明の実施の形態に係るチューブ式タイヤの一例を示すタイヤ子午断面図である。
【発明を実施するための形態】
【００１４】
以下に、本発明に係るチューブ式タイヤの実施の形態（以下に示す、基本形態１及び付加的形態１及び２）並びに本発明に係るタイヤ・リム組立体の実施の形態（以下に示す基本形態２）を、図面に基づいて詳細に説明する。なお、これらの実施の形態は、本発明を限定するものではない。また、上記実施の形態の構成要素には、当業者が置換可能かつ容易なもの、或いは実質的に同一のものが含まれる。さらに、上記実施の形態に含まれる各種形態は、当業者が自明の範囲内で任意に組み合わせることができる。
【００１５】
以下の説明において、タイヤ径方向とは、チューブ式タイヤ（又はタイヤ・リム組立体）の回転軸と直交する方向をいい、タイヤ径方向内側とはタイヤ径方向において回転軸に向かう側、タイヤ径方向外側とはタイヤ径方向において回転軸から離れる側をいう。また、タイヤ周方向とは、上記回転軸を中心軸とする周り方向をいう。さらに、タイヤ幅方向とは、上記回転軸と平行な方向をいい、タイヤ幅方向内側とはタイヤ幅方向においてタイヤ赤道面ＣＬ（タイヤ赤道線）に向かう側、タイヤ幅方向外側とはタイヤ幅方向においてタイヤ赤道面ＣＬ（タイヤ赤道線）から離れる側をいう。なお、タイヤ赤道面ＣＬ（タイヤ赤道線）とは、チューブ式タイヤ等の回転軸に直交するとともに、チューブ式タイヤ等のタイヤ幅の中心を通る平面（線）である。
【００１６】
また、本実施の形態において言及される諸規定（例えば、正規リム、正規内圧、正規荷重）は、以下に示す定義に従う。即ち、正規リムとは、ＪＡＴＭＡに規定される「標準リム」、ＴＲＡに規定される「Design Rim」、又はＥＴＲＴＯに規定される「Measuring Rim」をいう。また、正規内圧とは、ＪＡＴＭＡで規定される「最高空気圧」、ＴＲＡで規定される「TIRE LOAD LIMITS AT VARIOUS COLD INFLATION PRESSURES」に記載の最大値、又はＥＴＲＴＯで規定される「INFLATION PRESSURES」をいう。さらに、正規荷重とは、ＪＡＴＭＡで規定される「最大負荷能力」、ＴＲＡで規定される「TIRE LOAD LIMITS AT VARIOUS COLD INFLATION PRESSURES」に記載の最大値、又はＥＴＲＴＯで規定される「LOAD CAPACITY」をいう。
【００１７】
＜チューブ式タイヤ＞
［基本形態１］
図１は、本発明の実施の形態に係るチューブ式タイヤの一例を示すタイヤ子午断面図（タイヤ赤道面ＣＬを中心にタイヤ幅方向内側から両外側までの図）である。即ち、同図に示すチューブ式タイヤ１０は、タイヤ本体１２と、タイヤ本体１２の内周面に取り付けられたチューブ１４とを備える。
【００１８】
タイヤ本体１２は、タイヤ子午断面視で、タイヤ径方向内側から外側に向かって、ビード部Ａ、Ａ、サイドウォール部Ｂ、Ｂ、ショルダー部Ｃ、Ｃ及びトレッド部Ｄを有する。そして、図示しないが、タイヤ本体１２には、例えば、トレッド部Ｄから両側のビード部Ａ、Ａまで延在して一対のビードコアの周りで巻回されたカーカス層と、上記カーカス層のタイヤ径方向外側に順次形成された、ベルト層及びベルト補強層とが配設されている。ここで、タイヤ子午断面とは、タイヤ赤道面ＣＬと垂直な平面上に現れるタイヤ本体の断面をいう。なお、タイヤ本体１２の外周面には、ウェット路面における走行性能の向上等のために、所定の模様のトレッドパターンが形成されている。
【００１９】
ここで、ビード部Ａとはタイヤをリムに固定する部分をいう。サイドウォール部Ｂとはタイヤ転動時に最も屈曲する部分をいう。ショルダー部Ｃとはタイヤの肩の部分をいう。トレッド部Ｄとは、路面と接する部分をいう。なお、本実施の形態における、これらの部間の境界位置は、非特許文献１に図示されている位置に準ずるものとする。
【００２０】
また、チューブ１４は、天然ゴム、ブチルゴムのような合成ゴム等から構成される、中空の弾性体である。チューブ１４は、タイヤ周方向の全周に亘って延在し、全体としてリング形状をなす。チューブ１４の内腔には、空気、窒素等の気体や、熱可塑性ウレタン等の弾性体が充填される。
【００２１】
このような前提の下、図１に示す基本形態１のチューブ式タイヤ１０は、タイヤ子午断面視で、チューブ１４内に、タイヤ本体１２の内表面に平行に延在する隔壁１４ａが形成されている。隔壁１４ａとしては、チューブ１４に用いる通常のゴム部材の他、高密度ポリエチレン、ポリプロピレン、ポリブチレン、ポリメタクリル酸メチル、ポリスチレン、及び熱可塑性ポリウレタン等を用いることができる。
【００２２】
これにより、チューブ１４の内腔は、隔壁１４ａによってタイヤ本体１２に近い第１室１４１と、タイヤ本体１２から遠い第２室１４２と、に区画形成されている。そして、第１室１４１には弾性体が充填され、第２室１４２には気体が充填されている。
【００２３】
ここで、弾性体としては、例えば、天然ゴム、イソプレン・イソブチレン共重合体のハロゲン化物及びイソブチレン・パラメチルステレン共重合体のハロゲン化物からなる、加硫物並びにこれらの混合物が含まれる。また、弾性体としては、その他、熱可塑性ウレタンなどのゴム以外の弾性体も含まれる。
【００２４】
また、気体としては、空気が一般的であるが、その他窒素ガスや、空気と窒素との混合物等が挙げられる。
【００２５】
なお、第１室１４１への弾性体の注入は、図１に示す逆止弁Ｖ１を介して行い、第２室１４２への気体の注入は、同図に示す逆止弁Ｖ２を介して行う。これらの逆止弁Ｖ１、Ｖ２は、例えば、タイヤのユニフォミティを考慮して、タイヤ周方向の逆側（対向位置）に位置させることができる。特に、第１室への熱可塑性ウレタンの充填は、発泡ウレタンを、逆止弁Ｖ１を介して注入し、次いで第１室内で発泡ウレタンを硬化させることによって、行うことができる。
【００２６】
（作用等）
本実施の形態においては、図１に示すように、タイヤ本体１２に近い第１室１４１に、弾性体を充填している。これにより、トレッド表面に、釘等の異物が突き刺さったような場合であっても、タイヤ本体１２のトレッド部Ｄのタイヤ径方向内側に位置する第１室１４１に弾性体が充填されているのでパンクが回避され、優れた踏面部の耐パンク性能を発揮することができる。
【００２７】
なお、本実施の形態においては、チューブを使用せずに内腔がインナーライナ―によって区画形成されている通常の空気入りタイヤと同様に、第２室１４２に気体が充填されている。このため、タイヤ転動時にタイヤ本体１２の回転中心が接地面側に偏るいわゆる偏芯変形が生ずることで、トレッド部Ｄの変形が抑制され、エネルギー損失が抑制されることから、内腔全体が弾性体で満たされた場合に比べて、転がり抵抗を抑制し、ひいては優れた燃費性能を発揮することもできる。
【００２８】
以上に示すように、本実施の形態に係るチューブ式タイヤによれば、２層構造のチューブの特定領域へ充填する材料について限定を加えることで、特に、踏面部の耐パンク性能を改善することができる。
【００２９】
なお、以上に示す、本実施の形態のチューブ式タイヤは、まず、タイヤ本体とチューブとを別体として製造する。タイヤ本体については、通常の各製造工程、即ち、タイヤ材料の混合工程、タイヤ材料の加工工程、グリーンタイヤの成形工程、加硫工程及び加硫後の検査工程等を経て得る。また、チューブについては、例えば、チューブの外輪郭部分と、隔壁とを、別々に押し出し成形により用意する。次いでこの外輪郭部分と隔壁とを連結するとともに、この連結体の延在方向の両端部同士を接合して環状とした状態で、加硫を行い、チューブを得る。或いは、外輪郭部分と隔壁とを一体で押し出し成形した後、延在方向の両端部同士を接合して環状とした状態で、加硫を行い、チューブを得てもよい。そして、最後に、タイヤ本体とチューブとを組み合わせて、チューブ式タイヤを得る。
【００３０】
[付加的形態]
次に、本発明に係るチューブ式タイヤの基本形態１に対して、任意選択的に実施可能な、付加的形態１及び２を説明する。
【００３１】
（付加的形態１）
基本形態１においては、図１に示す第１室１４１の最大厚みＴ１は、タイヤ本体１２のトレッド最大厚みＴ２の３０％以上３００％以下であること（付加的形態１）が好ましい。ここで、第１室１４１の最大厚みとは、図１に示す隔壁１４ａの延在方向に垂直に測定した場合の、第１室１４１の最大寸法をいう。また、トレッド最大厚みＴ２とは、図１に示すタイヤ本体１２の内周面の延在方向に垂直に測定した場合の、タイヤ本体１２のトレッド部Ｄの最大寸法をいう。
【００３２】
最大厚みＴ１をトレッド最大厚みＴ２の３０％以上とすることで、第１室１４１の厚みを十分に確保することができる。これにより、トレッド表面に、釘等の異物が突き刺さった場合でも、タイヤ本体１２のトレッド部Ｄのタイヤ径方向内側に位置する第１室１４１に充填された弾性体の存在により、パンクがさらに高いレベルで回避され、踏面部の耐パンク性能をさらに高めることができる。
【００３３】
また、最大厚みＴ１をトレッド最大厚みＴ２の３００％以下とすることで、第１室１４１の厚みを過度に大きくすることなく、第２室１４２の容積を十分に確保することができる。これにより、第２室１４２に充填された気体の存在によって、内腔全体が弾性体で満たされた場合に比べて、燃費性能をさらに高めることができる。
【００３４】
なお、最大厚みＴ１をトレッド最大厚みＴ２の５０％以上２５０％以下とすることで、上記効果をそれぞれより高いレベルで奏することができる。また、トレッド最大厚みＴ２に対する最大厚みＴ１の下限値については、１００％以上とすることで、上記効果をさらに高いレベルで奏することができる。
【００３５】
（付加的形態２）
基本形態１又は基本形態１に付加的形態１を加えた形態においては、図１に示す第１室１４１についての、トレッド対応領域の平均厚みｔ１と、ショルダー対応領域の平均厚みｔ２と、サイドウォール対応領域の平均厚みｔ３と、ビード対応領域の平均厚みｔ４とが、ｔ１≧ｔ２≧ｔ３≧ｔ４の関係を満たすこと（付加的形態２）が好ましい。
【００３６】
ここで、図１に示すタイヤ本体１２に、（図示しないが）各部Ａ、Ｂ、Ｃ、Ｄの境界線を非特許文献１に準じて引いた場合に、それらの各境界線の延長線によって第１室１４１を区画することを考える。このような第１室１４１の区画方法に従い、上記延長線によって区画された各領域を、トレッド対応領域、ショルダー対応領域、サイドウォール対応領域、及びビード対応領域というものとする。なお、これらの各領域は、それぞれ、タイヤ本体１２のトレッド部Ｄ、ショルダー部Ｃ、サイドウォール部Ｂ、及びビード部Ａに隣接する領域とである。
【００３７】
そして、図１に示す第１室１４１のトレッド対応領域の平均厚みｔ１とは、隔壁１４ａの延在方向に垂直に測定した場合の、第１室１４１の最大寸法と最小寸法との和の１／２の寸法をいう。なお、図１に示す、ショルダー対応領域の平均厚みｔ２、サイドウォール対応領域の平均厚みｔ３、及びビード対応領域の平均厚みｔ４についても、トレッド対応領域の平均厚みｔ１に準じて定義するものとする。
【００３８】
各部の平均厚みｔ１からｔ４が、ｔ１≧ｔ２≧ｔ３≧ｔ４の関係を満たすことで、第１室１４１のうち、特に踏面部の耐パンク性能に影響を及ぼし易いトレッド対応領域の厚みを大きくして、踏面部の耐パンク性能をさらに高めることができる。
【００３９】
また、上記関係を満たすことで、第１室１４１のトレッド対応領域からビード対応領域までの平均厚みを順次小さくして、第１室１４１全体としてタイヤ径方向外側から内側にかけての剛性の急激な変化を抑制し、耐久性能を高めることができる。
【００４０】
さらに、上記関係を満たすことで、踏面部の耐パンク性能に貢献する可能性の低いサイドウォール対応領域及びビード対応領域の平均厚みを特に小さくして、第１室１４１の厚みを全体として過度に大きくすることなく、第２室１４２の容積を十分に確保することができる。これにより、第２室１４２にさらに多くの気体を充填して、タイヤ転動時にタイヤ本体１２の偏芯変形をさらに高いレベルで実現できることから、燃費性能をさらに高めることができる。
【００４１】
＜タイヤ・リム組立体＞
［基本形態２］
本実施の形態のタイヤ・リム組立体は、上述した図１に示すチューブ式タイヤ１０と、チューブ式タイヤ１０が取り付けられたリムとを含む。ここで、リムとは、上述した正規リムをいう。
【００４２】
本実施の形態のタイヤ・リム組立体によれば、チューブのタイヤ本体側の第１室に弾性体を充填したことにより、優れた踏面部の耐パンク性能を発揮することができる。なお、本実施の形態のタイヤ・リム組立体によれば、チューブのリム側の第２室に気体を充填したことにより、内腔全体が弾性体で満たされた場合に比べて、タイヤ本体の偏芯変形が高いレベルで実現されることから、優れた燃費性能を発揮することもできる。
【００４３】
なお、以上に示す、本実施の形態のタイヤ・リム組立体を製造する際には、まず、チューブをリムの外周面に組み付け、次いでタイヤ本体を、チューブの外周面を覆うように配設する。そして、図１に示す第１室１４１には逆止弁Ｖ１を介して弾性体を充填するとともに、第２室１４２には逆止弁Ｖ２を介して気体を充填することで、所望のタイヤ・リム組立体を得ることができる。
【実施例】
【００４４】
タイヤサイズを１９５／６５Ｒ１５とし、図１に示す各構成要素を有し、表１に示す諸条件を満たす実施例１から実施例６のチューブ式タイヤを作製した。
【００４５】
これに対し、タイヤサイズを１９５／６５Ｒ１５とし、チューブ１４を有さないこと以外は実施例１のチューブ式タイヤと同じ構造の、従来例の空気入りタイヤを作製した。
【００４６】
このように作製した、実施例１から実施例６及び従来例の各試験タイヤについて、踏面部の耐パンク性能と、燃費性能とについての評価を行った。それらの結果を表１に併記する。
【００４７】
（踏面部の耐パンク性能）
各試験タイヤを正規リムにリム組みするとともに、空気圧２３０ｋＰａを充填して、１８００ＣＣクラスの車両の前後輪に装着した状態で、非舗装路面を速度８０〜１２０ｋｍ／ｈにて走行させ、パンクに至るまでの走行距離を測定した。そして、この測定結果に基づいて従来例を基準（１００）とした指数評価を行った。この評価は、指数が大きいほど踏面部の耐パンク性能が高いことを示す。
【００４８】
（燃費性能）
各試験タイヤを正規リムにリム組みするとともに、空気圧２３０ｋＰａを充填して、排気量１８００ＣＣのセダン型車両に装着した。次いで、正規荷重が負荷された状態で、全長２ｋｍのテストコースにて、この車両を速度１００ｋｍ／ｈで走行させ、ガソリン１リットル当たりの走行距離を測定した。そして、この測定結果に基づいて従来例を基準（１００）とした指数評価を行った。この評価は、指数が大きいほど燃費性能が高いことを示す。
【００４９】
【表１】
0006379710.tif 000002
【００５０】
表１によれば、本発明の技術的範囲に属する（２層構造のチューブの特定領域へ充填する材料について限定を加えている）実施例１から実施例６のチューブ式タイヤについては、いずれも、本発明の技術的範囲に属さない、従来例の空気入りタイヤよりも、少なくとも踏面部の耐パンク性能に優れていることが判る。
【符号の説明】
【００５１】
１０    チューブ式タイヤ
１２    タイヤ本体
１４    チューブ
１４１    第１室
１４２    第２室
１４ａ    隔壁
Ａ    ビード部
Ｂ    サイドウォール部
Ｃ    ショルダー部
ＣＬ    タイヤ赤道面
Ｄ    トレッド部
Ｔ１    第１室１４１の最大厚み
Ｔ２    タイヤ本体１２のトレッド最大厚み
ｔ１    トレッド対応領域の平均厚み
ｔ２    ショルダー対応領域の平均厚み
ｔ３    サイドウォール対応領域の平均厚み
ｔ４    ビード対応領域の平均厚み
Ｖ１、Ｖ２    逆止弁
【図１】
0006379710.tif 000003